(57)【特許請求の範囲】
【請求項１】
回転玩具本体と回転形象物との組合せからなる、以下の要件を備えることを特徴とする回転玩具。
（イ）回転玩具本体の内部にはフライホイールが回転可能に配置され、該フライホイールの軸の下端は上記回転玩具本体の底部から下方に突出していること
（ロ）上記フライホイールは上記回転玩具本体の外部から回転操作可能であること
（ハ）上記回転形象物の回転軸には上記フライホイールの回転軸を差し込めるように中空に形成されていること
（二）上記回転玩具本体は上記フライホイールの回転軸に装着した上記回転形象物を上方に弾き出す弾き手段を備えていること
（ホ）上記回転玩具本体は上記フライホイールが回転している状態で接地することにより、上記フライホイールの回転が上記回転玩具本体に伝達され回転玩具本体は回転を始めること
（へ）上記回転玩具本体の周面には複数のカバー部材が開閉可能に設けられ、該カバー部材は回転玩具本体の回転時には遠心力で開放方向に回動し、回動時には上記弾き手段を機能させること
【請求項２】
前記回転形象物はプロペラを備えた、請求項1記載の回転玩具。
【発明の詳細な説明】
【０００１】
【発明の属する技術分野】
本発明は、回転玩具、詳しくは回転することによりカバー部材５が自動的に開いて内部に配置されている回転形象物が飛び出す回転玩具に関する。
【０００２】
【従来の技術】
従来、回転玩具としては独楽がよく知られ多くの子供に受け入れられているが、本来独楽は単に回転させて遊ぶものではなく、他の独楽と対戦させて遊ぶのが一般的であり、その対戦を有利にするために回転特性に特徴をもたせたものが色々提案され実用に供されている。
【０００３】
【発明が解決しようとする課題】
しかしながら、独楽自体は単独で回転するものであって、他の独楽と戦闘させる対戦独楽のような遊びをしない限りは単独で回して遊んでいても面白いものではなかった。
【０００４】
本発明は上記問題点を解消し、単に回転するだけではなく回転しながら形状が変化するとともに、回転玩具本体から回転形象物が離脱して独立して回転させることができ、単に回転するだけの回転玩具との差別化を図ることができるとともに、男児だけではなく女児にも受け入れてもらえる新しいタイプの回転玩具を提供することをその課題とする。
【０００５】
【課題を解決するための手段】
前記課題を解決するため、本発明に係る回転玩具は、回転玩具本体と回転形象物との組合せからなる、以下の要件を備えることを特徴とする。
（イ）回転玩具本体の内部にはフライホイールが回転可能に配置され、該フライホイールの軸の下端は上記回転玩具本体の底部から下方に突出していること
（ロ）上記フライホイールは上記回転玩具本体の外部から回転操作可能であること
（ハ）上記回転形象物の回転軸には上記フライホイールの回転軸を差し込めるように中空に形成されていること
（二）上記回転玩具本体は上記フライホイールの回転軸に装着した上記回転形象物を上方に弾き出す弾き手段を備えていること
（ホ）上記回転玩具本体は上記フライホイールが回転している状態で接地することにより、上記フライホイールの回転が上記回転玩具本体に伝達され回転玩具本体は回転を始めること
（へ）上記回転玩具本体の周面には複数のカバー部材が開閉可能に設けられ、該カバー部材は回転玩具本体の回転時には遠心力で開放方向に回動し、回動時には上記弾き手段を機能させること
【０００６】
なお、前記回転形象物はプロペラを備え、弾き出された時に飛ぶようにしてもよい。
【０００７】
【発明の実施の形態】
図１及び図２は、本発明に係る回転玩具の一例を示す斜視図と分解斜視図とを示し、この回転玩具は回転玩具本体１と回転玩具本体１に装着される回転形象物２とから構成され、回転玩具本体１の側壁に配置されているツマミ３を引っぱることにより内部に配置されたフライホイール４を回転させて間接的に回転玩具本体１を回転させ、回転玩具本体１の回転が高速になると、カバー部材５が開いて内部に配置されている回転形象物２が回転しながら上方に弾き出されるようにしたものである。
【０００８】
回転玩具本体１は、下部材１０と上部材１１と蓋部材１２とから構成され全体として独楽を模して形成され、この回転玩具本体１の内部にはフライホイール４が回転可能に配置されている。
【０００９】
フライホイール４は金属の円板で下面には同軸上にギヤ１３が一体形成され、下部材１０に形成された軸孔１４と、上部材１１に形成された軸孔１５とで回転玩具本体１内に回転可能に軸支されている。
【００１０】
そして、下部材１０を貫通し、下方に突出したフライホイール４の回転軸１６の下端には先端が半球状に形成された樹脂製の滑り部材１７が取り付けられ、回転時の接地面との摩擦を少なくして回転玩具本体１の回転を持続させることができるようになっている。
【００１１】
下部材１０にはツマミ３に接続された引き紐２０を挿通させる挿通孔２１が形成され、この挿通孔２１から挿通させた引き紐２０の先端は下部材１０内に回転可能に配置された駆動歯車体２２の取付穴２３に取り付けられている。
【００１２】
駆動歯車体２２は、上部に鍔部２７が形成されるとともに下部材１０の中央にネジ止めされた円筒状の支持体２８によって下部材１０内に回転可能に保持され、ツマミ３を引き操作することにより反時計方向に回転させることができるようになっている。そして、上面に形成された円形の凹部２９の内周面には連続して内歯歯車３０が形成され、外側壁面に周設された凹溝３１にはゼンマイバネ３２が巻き付けられ、ツマミ３の引き操作時には駆動歯車体２２が反時計方向に回転するとともに、ゼンマイバネ３２が巻き上げられるようになっており、ツマミ３の引き操作を解除したときにはゼンマイバネ３２の巻き戻り力で駆動歯車体２２は時計方向に逆回転しながら引き紐２０を巻き取るようになっている。なお、ゼンマイバネ３２の内側の終端は駆動歯車体２２に、外側の終端は下部材１０の内壁に適宜手段で固定されていることは言うまでもない。
【００１３】
そして、駆動歯車体２２の内歯歯車３０には増速歯車２５の小歯車２５ａが噛合し、増速歯車２５の大歯車２５ｂには増速遊星歯車２６の小歯車２６ａが噛合し、増速遊星歯車２６の大歯車２６ｂはフライホイール４のギヤ１３に選択的に噛合するようになっている。
【００１４】
上記増速歯車２５と増速遊星歯車２６とは支持体２８の上面に形成された軸孔３４、３５と仕切り板４０に形成された軸孔４１、４２とにそれぞれ軸支されている。増速遊星歯車２６を軸支する軸孔３５、４２は長孔に形成され、長孔に沿って増速遊星歯車２６が移動することにより増速遊星歯車２６の大歯車２６ｂがフライホイール４のギヤ１３に選択的に噛合できるようになっている。
【００１５】
ツマミ３の引き操作をすると、図３（ａ）の底面側断面図に示すように、駆動歯車体２２は引き紐２０に引かれてゼンマイバネ３２を巻き上げながら矢印ａ方向（上面から見たときは反時計方向）に回転し、小歯車２５ａが内歯歯車３０に噛合している増速歯車２５を矢印ｂ方向（上面から見たときには反時計方向）に回転させ、増速歯車２５の大歯車２５ｂに小歯車２６ａが噛合している増速遊星歯車２６が長孔３５（４２）を内径方向に移動してフライホイール４のギヤ１３に噛合し、フライホイール４を矢印ｄ方向（上面から見たときには反時計方向）に回転させる。
【００１６】
一方、ツマミ３の引き操作を解除すると駆動歯車体２２はゼンマイバネ３２の巻き戻り力で引き紐２０を巻き取る方向に回転し、ツマミ３が下部材１０の外側壁面に当接するまで巻き戻る。この時、増速遊星歯車２６は図３（ｂ）に示すように、長孔３５（４２）を外径方向に移動し、増速遊星歯車２６とフライホイール４のギヤ１３との噛み合いが外れ、フライホイール４は駆動歯車体２２が逆回転（ａ’方向）しても、駆動歯車体２２の影響を受けずに矢印ｄ方向に回転を続けることができ、ツマミ３を繰り返し引き操作することによりフライホイール４の回転速度を上げることができるようになっている。
【００１７】
そして、上記フライホイール４は上部材１１で覆われている。この上部材１１は、図４に示すように、中央にフライホイール４の回転軸１６を軸支するとともに上方に突出させる軸孔１５が形成されるとともに、２つのガイド軸４５、４６が上方に突出して形成されている。両方のガイド軸４５、４６は後述する制御回動板４７をガイドするとともに、ガイド軸４５は係止部材５０もガイドしている。制御回動板４７と係止部材５０とは蓋部材１２で覆われ、この蓋部材１２はネジ５１をガイド軸４５、４６にネジ止めすることにより上部材１１に固定されている。
【００１８】
上記上部材１１の上面周縁には花びらを模して形成された樹脂製の３つのカバー部材５を開閉可能に軸支する軸支部５２が形成されている。この軸支部５２はカバー部材５の内側下端に形成された係合突片５３を支軸５４で開閉可能に軸支するようになっている。上記係合突片５３はカバー部材５が開いたときに制御回動板４７の係合部６１に係合し、この制御回動板４７を反時計方向に回動させるようになっている。
【００１９】
制御回動板４７は中央にフライホイール４の回転軸１６を挿通させるとともに、後述するスプリングの接触を避けるための開口部５５が形成され、開口部５５を挟んで対称の位置に周方向に延長した長孔５６、５７が形成されている。この長孔５６、５７には上記上部材１１のガイド軸４５、４６が挿通され制御回動板４７が周方向に回動できるようになっている。この制御回動板４７の周縁には切り欠き部６０が形成され、この切り欠き部６０の上方には斜め上方に向かって係合斜面６１ａを有する係合部６１が形成されている。この切り欠き部６０にはカバー部材５の係合突片５３が対応し、カバー部材５が開き方向に回動すると係合突片５３が上方に回動して係合斜面６１ａを係合片５３ａが下方から突き上げるように係合し、制御回動板４７を反時計方向に回動させることになる。この制御回動板４７はスプリング６２で常に時計方向に復帰回動するように付勢されている。なお、図４において、符号４８は、係合突片５３に形成されたフック５３ｂと回動制御板４７上に形成されたフック４９とに掛け渡されたスプリングを示し、このスプリング４８は回転玩具が回転していないときはカバー部材５を閉じる方向に付勢し、遠心力で開かないときはあたかも花びらが閉じたような状態にするためのものである。
【００２０】
そして、上記制御回動板４７の長孔５６の外側には内方に向かって反時計方向に斜めに切り欠き６３が形成されるとともに、周面には外方に突出して３つの突片６４が形成されている。突片６４は後述する蓋部材１２の外周壁下端に形成された切り欠き部７４に対応し、制御回動板４７が水平方向に回動できるようにするためのものである。
【００２１】
係止部材５０は連結部５０ａの両端から前方に脚片５０ｂが形成され平面視略コ字状に形成されたもので連結部５０ａには長手方向に長孔６５が形成され、連結部５０ａの前面には前下がりの傾斜面を有する係止部５０ｃが形成されている。係止部５０ｃは後述する係合体７０の凹溝７１に噛み込んで係合体７０を係止するようになっている。さらに、連結部５０ａの底面には下方に突出して係合軸６６が形成されている。この係合軸６６は制御回動板４７に形成された切り欠き６３に係合し、制御回動板４７が反時計方向に回動すると切り欠き６３の斜面６３ａで係合軸６６を外周方向に付勢し、係止部材５０を外方にスライド移動させることができるようになっている。
【００２２】
蓋部材１２は中央が上方に円筒状に膨出するガイド筒６７ａと下方に円筒状に膨出するガイド筒６７ｂとからなるガイド筒６７が形成され、後述する係合体７０の上下動をガイドするようになっている。ガイド筒６７ａの上端には回転形象物２の回転軸７５を差し込む差し込み孔６８が形成されている。そして、ガイド筒６７の内部には弾き手段６９が配置されている。この弾き手段６９は周面の中央に凹溝７１が周設されるとともに中央にフライホイール４の回転軸１６を挿通させる貫通孔７２が形成された平板な円柱状の係合体７０と、この係合体７０を上方に突き上げるスプリング７３とで構成され、スプリング７３を圧縮しながら係合体７０を押し下げ、凹溝７１が係止部材５０の係止部５０ｃに対応する位置まで押し下げると、係止部５０ｃで係止部材５０が係止され、係止部５０ｃによる係止を解除するとスプリング７３の弾発力で係合体７０を瞬時に突き上げることができるようになっている。
【００２３】
なお、ガイド筒６７の下端は上部材１１の上面に当接するまで延設され、その外径は係止部材５０の２つの脚片５０ｂ、５０ｂの間隔にほぼ等しく形成され、このガイド筒６７とガイド軸４５とで係止部材５０が径方向にスライド移動できるようにガイドしている。また、外周壁下端には回動制御板４７の突片６４に対応して切り欠き部７４が形成されている。この切り欠き部７４は突片６４が切り欠き部７４にガイドされて制御回動板４７を水平方向に回動させるためのものである。
【００２４】
回転形象物２はバレリーナを模して形成され、底部には回転軸７５が下方に突出形成されるとともに下端が開口した筒状に形成され、上記フライホイール４の回転軸１６の先端が回転軸７５に差し込むことができるようになっている。この回転軸７５は長手方向にスリット７６が２カ所形成され、フライホイール４の回転軸１６を適宜の圧力で挟持し、スリップすることなくフライホイール４と等速で回転できるようになっている。
【００２５】
この回転形象物２は回転軸１６に着脱可能なので、メーカーが回転玩具本体１とは別途に様々な回転形象物２を提供することにより、ユーザーはお気に入りの回転形象物２をお気に入りの回転玩具本体１に取り付けたり、複数の回転形象物２の中から選んで付け替えたりして楽しむことができる。
【００２６】
次に、上記構成の回転玩具の作動態様について説明する。
【００２７】
先ず、回転形象物２を装置本体１に取り付ける。これは、回転形象物２の回転軸７５をフライホイール４の回転軸１６の先端に差し込めばよい。この時、回転形象物２の回転軸７５の下端は係合体７０に当接し、スプリング７３を圧縮しながら係合体７０を押し下げることになる。係合体７０の凹溝７１が係止部材５０の係止部５０ｃに対応する位置まで押し下げると、係合体７０は係止部材５０に係止されスプリング７３を圧縮した状態で係止状態が維持される（図５（ａ）、図６（ａ）参照）。
【００２８】
次に、図７に示すように、ツマミ３を引っぱって引き紐２０を引き出す操作をすると、駆動歯車体２２がゼンマイバネ３２を巻き上げながら強制的に回転させられる。駆動歯車体２２が回転すると増速歯車２５が回転し、増速遊星歯車２６が回転する。増速遊星歯車２６は長孔３５（４２）を内径方向に移動して、フライホイール４のギヤ１３に噛み合いフライホイール４を回転させる。ツマミ３の引きを解除すると駆動歯車体２２はゼンマイバネ３２の巻き戻り力で引き紐２０を巻き上げる方向に逆回転する。この時、増速歯車２５は逆回転し、増速遊星歯車２６を長孔３５（４２）の外径方向に移動させるので増速遊星歯車２６とフライホイール４のギヤ１３との噛み合いが外れ、フライホイール４は駆動歯車体２２の回転の影響を受けず継続して同一方向に回転する。ツマミ３を繰り返し引き操作することによりフライホイール４の回転を増速させ高速で回転させることができる。
【００２９】
この状態で、回転玩具本体１を接地させるとフライホイール４が回転しているので接地面に起立した状態でセットされ、やがてフライホイール４の回転が回転玩具本体１に伝達され回転玩具本体１が回転を始める。
【００３０】
回転玩具本体１の回転が始まると、カバー部材５が遠心力で外方に回動を始め、係合突片５３の係合片５３ａが制御回動板４７の係合斜面６１ａの下面に係合して押し上げるように作用するが、制御回動板４７は水平方向にのみ回動するようになっているので、係合斜面６１ａが下方から押し上げられることにより、制御回動板４７は反時計方向に回動させられる。
【００３１】
制御回動板４７が反時計方向に回動すると、図６（ｂ）に示すように、係止部材５０は係合軸６６が制御回動板４７の切り欠き６３により外径方向に押し出され、係止部材５０が外方にスライド移動する。係止部材５０が外方にスライド移動すると、係合体７０の凹溝７１から係止部５０ｃが外れるので、係合体７０はスプリング７３の弾発力で上方に瞬時に突き上げられる（図５（ｂ）参照）。
【００３２】
係合体７０は、フライホイール４の回転軸１６に差し込まれた回転形象物２の回転軸７５を突き上げるので、回転形象物２は回転しながら回転軸１６から離脱し、図７に示すように、回転玩具本体１から飛び出して回転玩具本体１とは独立して回転することになる。
【００３３】
なお、図９は回転形象物の他の例を示し、この回転形象物２’は回転軸７５の上部に人形８１を設け、人形８１の上部にトンボの羽根を模したプロペラ８２を設けたものである。この回転形象物２’を回転玩具本体１に装着し、図１０に示すように、ツマミ３を引っぱって引き紐２０を引き出す操作をすればよい。
【００３４】
上述の回転玩具と同様に、フライホイールを高速で回転させた状態で回転玩具本体１を接地させると、回転形象物２’はフライホイール４と等速で回転し、回転玩具本体１も回転を始めるので、カバー部材５が開き回転形象物２’が弾き出されるので、プロペラ８２の回転で発生する浮力で飛ばすことができ、あたかもトンボなどの飛翔体が小人のお姫様を救出するようなイメージを抱かせることができ、より女児に受け入れられる回転玩具を実現することができ、ユーザーの対象を男児だけではなく女児にも広げることができ、販売対象を広げることができる。
【００３５】
【発明の効果】
請求項１の発明によれば、フライホイールを回転させた状態で回転玩具本体を接地させると、回転玩具本体が回転を始め、回転が上昇すると遠心力で花びらが開くようにゆっくりとカバー部材５が開き、内部に配置されている人形などの回転形象物が飛び出して、玩具本体とは分離して別途回転体として回転するので、視覚的にも楽しく女児の受け入れも期待される従来にない回転玩具を提供することができる。
【００３６】
また、回転形象物は本体に着脱可能なので、気に入った回転形象物を選択し、回転形象物と玩具本体との組合せを楽しむことができるので、ユーザーが選択できる選択肢を広げた様々な回転形象物を提供することができ、購買層の広がりと商品の広がりとが期待される回転玩具の提供を実現することができる。
【００３７】
請求項２の発明によれば、回転形象物にプロペラを設けることにより単に飛び出すだけではなく、飛翔させることができるので動きに変化を与えることができより楽しい回転玩具を提供することができる。
【図面の簡単な説明】
【図１】  本発明に係る、回転玩具の構成を説明する斜視図
【図２】  上記回転玩具の構成を説明する分解斜視図
【図３】  （ａ）（ｂ）は駆動歯車体と増速歯車との関係を説明する駆動歯車体の底面側断面図
【図４】  制御回動板と係止部材との関係を説明する分解斜視図
【図５】  （ａ）（ｂ）は回転玩具本体に回転形象物を装着した状態を示す要部断面図及び回転時の回転玩具の作動状態を説明する要部断面図
【図６】  （ａ）（ｂ）は制御回動板と係止部材との関係を説明する蓋体を外した状態の要部断面図
【図７】  回転形象物をセットして回転玩具体を回転させる状態を説明する斜視図
【図８】  回転玩具の作動状態を説明する斜視図
【図９】  回転形象物の他の例を示す斜視図
【図１０】  上記他の例の回転形象物をセットして回転玩具体を回転させる状態を説明する斜視図
【符号の説明】
１  回転玩具本体
２  回転形象物
４  フライホイール
５  カバー部材
１６  回転軸
６９  弾き手段
７５  回転軸
８２  プロペラ
【図１】
0004044345.tif 000002
【図２】
0004044345.tif 000003
【図３】
0004044345.tif 000004
【図４】
0004044345.tif 000005
【図５】
0004044345.tif 000006
【図６】
0004044345.tif 000007
【図７】
0004044345.tif 000008
【図８】
0004044345.tif 000009
【図９】
0004044345.tif 000010
【図１０】
0004044345.tif 000011